(57)【要約】  【課題】  読取画像の画質を向上させることができるとともに、読取りを開始するまでの時間を短縮して、１枚の原稿を読取る際には読取り時間が長くなるような印象を与えず、かつ、多数の原稿を読取る場合には、読取り作業の作業性（生産性）を向上させることができる画像読取装置および画像形成装置を提供すること。  【解決手段】  画像読取手段８１によって原稿を読取る際の白基準を構成する白基準板７５と、搬送される原稿を読取る第２の読取モードで原稿を読取る際に、所定のタイミングで白基準板７５を読取って画像読取手段８１の特性ムラを本体制御部と、第２の読取モードにおいて白基準板７５を読取るときの光源７７の移動速度を、ブック原稿を読取る第１の読取モードで原稿を読取るときの光源７７の最高移動速度よりも速く制御するコントローラ１００および駆動機構１０９とを備える。【選択図】  図２
2006165777.tif 000002
【特許請求の範囲】
【請求項１】
光源を備えた読取光学系と、原稿を搬送する原稿搬送手段と、前記読取光学系を移動させる移動手段と、前記移動手段によって前記読取光学系を移動し、固定した原稿を読取る第１の読取モードおよび前記読取光学系を固定し、原稿搬送手段によって搬送される原稿を読取る第２の読取モードの両モードの動作を実行するモード実行手段とを備えた画像読取装置において、
前記読取光学系によって原稿を読取る際の白基準を構成する白基準部材と、
前記第２の読取モードで原稿を読取る際に、所定のタイミングで前記白基準部材を読取って前記読取光学系の特性ムラを補正するシェーディング補正手段と、
前記第２の読取モードにおいて前記白基準部材を読取るときの前記読取光学系の移動速度を、前記第１の読取モードで原稿を読取るときの前記読取光学系の最高移動速度よりも速く制御する制御手段とを備えたことを特徴とする画像読取装置。
【請求項２】
前記制御手段は、前記第２の読取モードにおいて前記白基準部材を読取るときの前記読取光学系の加速度を、前記第１の読取モードで原稿を読取るときの前記読取光学系の最高加速度よりも速く制御することを特徴とする請求項１に記載の画像読取装置。
【請求項３】
光源を備えた読取光学系と、原稿を搬送する原稿搬送手段と、前記読取光学系を移動させる移動手段と、前記移動手段によって前記読取光学系を移動し、固定した原稿を読取る第１の読取モードおよび前記読取光学系を固定し、原稿搬送手段によって搬送される原稿を読取る第２の読取モードの両モードの動作を実行するモード実行手段とを備えた画像読取装置において、
前記読取光学系によって原稿を読取る際の白基準を構成する白基準部材と、
前記第２の読取モードで原稿を読取る際に、所定のタイミングで前記白基準部材を読取って前記読取光学系の特性ムラを補正するシェーディング補正手段と、
前記第２の読取モードにおいて前記白基準部材を読取った後、原稿の読取りを開始するまで前記読取光学系の移動を継続させるように制御する制御手段とを備えたことを特徴とする画像読取装置。
【請求項４】
請求項１〜請求項３の何れか１項に記載の画像読取装置を搭載するとともに、記録媒体に画像を形成する画像形成手段を備えたことを特徴とする画像形成装置。
【発明の詳細な説明】
【技術分野】
【０００１】
本発明は、画像読取装置および画像形成装置に関し、例えば、スキャナー装置等の画像読取装置およびこの画像読取装置を搭載した複写機、ファクシミリ装置等の画像形成装置に関する。
【背景技術】
【０００２】
従来より、スキャナー装置、ファクシミリ装置、複写機、複写機能とファクシミリ機能等とを備えた複合機等には原稿の画像を読取る画像読取装置が搭載されており、この画像読取装置は、積載された原稿を１枚ずつ分離して読取位置に搬送する、所謂、シートスルー方式の自動原稿搬送装置（以下、単にＡＤＦという）を備えたものがある。
【０００３】
この画像読取装置にあっては、ＡＤＦによって搬送される原稿を固定読取モードとコンタクトガラス上に原稿を停止させて載置した状態で原稿を読取る移動読取モードとを備えたものがあり、２つの読取モードで原稿を読取るための読取光学系を備えている。
【０００４】
この読取光学系は、移動読取モードでは、光源やミラーを搭載したキャリッジをコンタクトガラス上の原稿に対して移動させることにより、光源から照射された光を原稿で反射した後、この反射光をミラーおよびレンズを介してイメージセンサに入力させることにより、このイメージセンサでライン毎に原稿を読取るようになっている。
【０００５】
また、固定読取モードでは、キャリッジを固定することにより、ＡＤＦで１枚ずつ分離されて搬送される原稿を読取るようになっている。
【０００６】
また、イメージセンサの各画素毎の感度ムラやレンズにおける透過光量のばらつき、照明・光学系の照度ムラ、主走査方向の光量分布および劣化等の要因により、均一な反射特性を有する基準板を読取ったときの各画素に対するイメージセンサからの出力が必ずしも一定かつ、均一な値とはならない。
【０００７】
このため、これらを補正するシェーディング補正が知られている。このシェーディング補正は、読取位置の近傍に配置された白基準板を実際の原稿の読取りに先立って読取り、各画素のシェーディング補正用の白データとして白レベル基準データを取得する。そして、この取得した白基準データに基づいてシェーディング補正データを生成し、この補正データにより読取った原稿画像データに対して補正演算を行い、読取データを正規化するようにしている。
【０００８】
このような読取光学系を備えた画像読取装置にあっては、ＡＤＦによって原稿を連続的に読取ることが可能であるが、原稿の連続読取りを行うことにより光学系の温度が上昇したり、経年劣化等することにより特性が変化するため、同じ原稿を読取っても経時で値が変化してしまうという不具合が発生してしまい、特に、光源については連続点灯における照度低下が大きくなってしまう。
【０００９】
このような不具合を解消するものとしては、原稿の画情報を読取る画像読取手段と、白基準板を読取ることより、光学系の特性ムラを補正するシェーディング補正手段とを備え、シェーディング補正手段が、原稿照射用光源の照度変動率に応じた頻度でシェーディング補正動作を実行する画像読取装置がある（例えば、特許文献１参照）。
【特許文献１】特開２００２−２８１２５４号公報
【発明の開示】
【発明が解決しようとする課題】
【００１０】
しかしながら、このような従来の画像読取装置にあっては、光源の照度低下率を監視しながら判断を行うので、光源の照度が低下したことを検知して補正を行うことになり、その直前の読取データは補正することができない。
【００１１】
また、固定読取モードで搬送される原稿の連続読取りを行うために、光源を連続して点灯した場合には、光源の管面温度が上昇してしまい、光源の照度低下が促進されてしまう。
【００１２】
この結果、光源の経年劣化が早くなってしまい、光源の寿命が短くなってしまうという問題があった。
【００１３】
本発明はこのような問題を解決するためになされたもので、搬送される原稿の読取り時に光源を連続点灯した場合であっても、光源の管面温度上昇を抑制することができ、光源の照度を低下させて光源の寿命を延長することができる画像読取装置および画像形成装置を提供するものである。
【課題を解決するための手段】
【００１４】
本発明の画像読取装置は、光源を備えた読取光学系と、原稿を搬送する原稿搬送手段と、前記読取光学系を移動させる移動手段と、前記移動手段によって前記読取光学系を移動し、固定した原稿を読取る第１の読取モードおよび前記読取光学系を固定し、原稿搬送手段によって搬送される原稿を読取る第２の読取モードの両モードの動作を実行するモード実行手段とを備えた画像読取装置において、前記読取光学系によって原稿を読取る際の白基準を構成する白基準部材と、前記第２の読取モードで原稿を読取る際に、所定のタイミングで前記白基準部材を読取って前記読取光学系の特性ムラを補正するシェーディング補正手段と、前記第２の読取モードにおいて前記白基準部材を読取るときの前記読取光学系の移動速度を、前記第１の読取モードで原稿を読取るときの前記読取光学系の最高移動速度よりも速く制御する制御手段とを備えたものから構成されている。
【００１５】
この構成により、第２の読取モードにおいて白基準部材を読取るときの読取光学系の移動速度を、第１の読取モードで原稿を読取るときの読取光学系の最高移動速度よりも速くしているので、搬送される原稿の読取り時に光源を連続点灯した場合であっても、光源を高速で移動させて空冷することができる。このため、光源の管面温度上昇を抑制することができ、光源の照度を低下させて光源の寿命を延長することができる。
【００１６】
また、本発明の画像読取装置は、前記制御手段は、前記第２の読取モードにおいて前記白基準部材を読取るときの前記読取光学系の加速度を、前記第１の読取モードで原稿を読取るときの前記読取光学系の最高加速度よりも速く制御するものから構成されている。
【００１７】
この構成により、第２の読取モードにおいて白基準部材を読取るときの読取光学系の加速度を、第１の読取モードで原稿を読取るときの読取光学系の最高加速度よりも速くしているので、搬送される原稿の読取り時に光源を連続点灯した場合であっても、光源を高速で移動させて空冷することができる。このため、光源の管面温度上昇を抑制することができ、光源の照度を低下させて光源の寿命を延長することができる。
【００１８】
また、本発明の画像読取装置は、光源を備えた読取光学系と、原稿を搬送する原稿搬送手段と、前記読取光学系を移動させる移動手段と、前記移動手段によって前記読取光学系を移動し、固定した原稿を読取る第１の読取モードおよび前記読取光学系を固定し、原稿搬送手段によって搬送される原稿を読取る第２の読取モードの両モードの動作を実行するモード実行手段とを備えた画像読取装置において、前記読取光学系によって原稿を読取る際の白基準を構成する白基準部材と、前記第２の読取モードで原稿を読取る際に、所定のタイミングで前記白基準部材を読取って前記読取光学系の特性ムラを補正するシェーディング補正手段と、前記第２の読取モードにおいて前記白基準部材を読取った後、原稿の読取りを開始するまで前記読取光学系の移動を継続させるように制御する制御手段とを備えたものから構成されている。
【００１９】
この構成により、第２の読取モードにおいて白基準部材を読取った後、原稿の読取りを開始するまで読取光学系の移動を継続させるので、搬送される原稿の読取り時に光源を連続点灯した場合であっても、光源を長い時間で移動させて空冷することができる。このため、光源の管面温度上昇を抑制することができ、光源の照度を低下させて光源の寿命を延長することができる。
【００２０】
また、本発明の画像形成装置は、上述した各画像読取装置を搭載するとともに、記録媒体に画像を形成する画像形成手段を備えたものから構成されている。
【００２１】
この構成により、搬送される原稿の読取り時に光源を連続点灯した場合であっても、光源の管面温度上昇を抑制することができ、光源の照度を低下させて光源の寿命を延長することができる。
【発明の効果】
【００２２】
以上説明したように、本発明は、搬送される原稿の読取り時に光源を連続点灯した場合であっても、光源を高速で移動させて空冷することができる。このため、光源の管面温度上昇を抑制することができ、光源の照度を低下させて光源の寿命を延長することができる画像読取装置および画像形成装置を提供することができる。
【発明を実施するための最良の形態】
【００２３】
以下、本発明の実施の形態について、図面を用いて説明する。
【００２４】
図１〜図８は本発明に係る画像読取装置および画像形成装置の第１の実施の形態を示す図である。なお、画像形成装置としては、スキャナー装置等の画像読取装置を搭載した複写機、ファクシミリ装置、複写機能とファクシミリ機能等を備えた複合機等の画像形成装置に適用することができるものであり、本実施の形態では、複写機を例に説明を行う。
【００２５】
まず、構成を説明する。図１〜図３において、複写機の本体２１の上面にはコンタクトガラス２２ａが設けられており、このコンタクトガラス２２ａに隣接する本体２１の上面にはコンタクトガラス２２ａよりも小面積のスリットガラス２２ｂが設けられている。
【００２６】
また、本体２１の上部には自動用紙搬送装置としてのＡＤＦ２３が設けられており、このＡＤＦ２３は図示しないヒンジ機構を介してコンタクトガラス２２ａを開放および閉塞するように開閉自在になっている。
【００２７】
また、ＡＤＦ２３は、積層原稿からなる原稿束Ｐが原稿面を上向きにして載置される原稿テーブル２４、原稿テーブル２４に載置された原稿束Ｐから原稿を一枚ずつ分離して給紙する分離給紙部２５と、給紙された原稿を突き当て整合してスキューの矯正を行うとともに、整合後の原稿を引き出して搬送するレジスト部２６と、搬送される原稿を反転させて、原稿面をスリットガラス２２ｂ側に向けて搬送するターン部２７と、原稿の表面画像をコンタクトガラス２２ａの下方に設けられた図示しない後述する読取部より読取りを行わせる第１読取搬送部２８と、読取り終了後の原稿の裏面画像を読取る第２読取搬送部２９と、表裏の読取りが完了した原稿をＡＤＦ２３機外に排出する排紙部３０と、読取り完了後の原稿を積載保持するスタック部３１と、これら搬送動作の駆動を行うピックアップモータ１０１、給紙モータ１０２、読取モータ１０３、排紙モータ１０４および底板上昇モータ１０５と、ＡＤＦ２３の一連の動作を制御するコントローラ部１００とから構成されている。
【００２８】
原稿テーブル２４のテーブル面には原稿の長さを検知する原稿長さ検知センサ３２、３３が設けられており、この原稿長さ検知センサ３２、３３は反射型センサ、または、１枚の原稿でも検知可能なアクチェータータイプのセンサ等から構成され、原稿の搬送方向長さを検知して検知信号をコントローラ１００に出力するようになっている。したがって、原稿長さセンサ３２、３３は少なくとも同一原稿サイズの縦か横かを判断可能なように原稿テーブル２４のテーブル面に配置されている。
【００２９】
また、原稿テーブル２４の先端（原稿の搬送方向下流側）には可動テーブル３４が設けられており、この可動テーブル３４は底板上昇モータ１０５によって矢印ａ−ｂで示すように上下動されるようになっている。
【００３０】
また、原稿テーブル２４には図示しないサイドガイドが設けられており、このサイドガイドによって原稿束Ｐの幅方向（原稿の搬送方向と直行する方向）の位置決めが行われるようになっている。
【００３１】
また、可動テーブル３４の近傍にはセットフィラー３５および原稿セットセンサ３６が設けられており、セットフィラー３５は原稿テーブル２４に原稿束Ｐが載置されたときに破線で示す位置から実線で示す位置に移動し、原稿セットセンサ３６がこのセットフィラー３５を検知した状態から未検知状態に変化すると、コントローラ１００に信号を出力する。コントローラ１００はＩ／Ｆ１０７を介して複写機の本体２１に設けられた本体制御部１１１に信号を出力し、本体２１側では原稿の読取りを行うための待機状態に移行する。
【００３２】
また、コントローラ１００は原稿セットセンサ３６からの検知信号に基づいて原稿テーブル２４に原稿束Ｐが載置されたことを判断したときに、底板上昇モータ１０５を上昇させ原稿束Ｐの最上面をピックアップローラ３７に接触させる。
【００３３】
ピックアップローラ３７はピックアップモータ１０１からの駆動力が図示しないカム機構を介して伝達されるようになっており、ピックアップモータ１０１およびカム機構により矢印ｃ−ｄで示すように原稿束Ｐの上面に接触する位置と待避する位置の間で上下移動する。
【００３４】
また、可動テーブル３４の上方にはテーブル上昇センサ３８が設けられており、このテーブル上昇センサ３８は可動テーブルが矢印ｃ方向に上昇したときにピックアップローラ３７が上昇すると、ピックアップローラ３７の位置を検知することにより、上昇可能な上限を検知するようになっている。
【００３５】
また、本体２１側に設けられた操作部１０８のプリントキーが押下され、本体制御部１１１からＩ／Ｆ１０７を介してコントローラ１００に原稿給紙信号が送信されると、ピックアップローラ３７は給紙モータ１０２の正転により回転駆動するようになっており、原稿テーブル２４上の数枚（理想的には１枚）の原稿の給紙を開始する。
【００３６】
この給紙された原稿はピックアップローラ３７の下流側に設けられた給紙ベルト３９およびリバースローラ４０からなる分離給紙手段に給紙される。
【００３７】
給紙ベルト３９は給紙モータ１０２が正転駆動されると給紙方向（時計方向）に回転駆動されるようになっており、リバースローラ４０には図示しないトルクリミッタが内蔵され、給紙モータ１０２が正転駆動されると給紙方向と逆方向（時計方向）に回転駆動されるようになっている。このため、最上位の原稿とその下の原稿が分離されて、最上位の原稿のみが給紙される。
【００３８】
具体的には、リバースローラ４０は給紙ベルト３９と所定圧で接しており、給紙ベルト３９と直に接触しているとき、または、原稿１枚を介して接している状態では給紙ベルト３９の回転につられて反時計方向に連れ回りし、原稿が万が一２枚以上給紙ベルト３９とリバースローラ４０の間に進入した時は連れ回り力がトルクリミッタのトルクよりも低くなるように設定されている。このため、リバースローラ４０は本来の駆動方向である時計方向に回転し、余分な原稿を押し戻す働きをして重送を防止することができ、給紙ベルト３９とリバースローラ４０の作用により１枚に分離された原稿は給紙ベルト３９によって送られるようになっている。
【００３９】
また、給紙ベルト３９の下流側には突き当てローラ４１が設けられており、この突き当てローラ４１は駆動ローラ４１ａおよび従動ローラ４１ｂから構成され、給紙モータ１０２により回転駆動されるようになっている。
【００４０】
この突き当てローラ４１は給紙ベルト３９とリバースローラ４０の作用により１枚に分離された原稿のスキューの矯正およびさらに下流側に搬送する機能を有している。
【００４１】
すなわち、原稿の給紙時に給紙モータ１０２を停止することにより、突き当てローラ４１は停止された状態に設定されており、分離された原稿が突き当てローラ４１の上流側に設けられた突き当てセンサ４２によって検知された後、突き当てローラ４１に原稿の先端が突き当てられる。
【００４２】
そして、突き当てセンサ４２が原稿の先端を検知してコントローラ１００に信号を出力すると、コントローラ１００は突き当てセンサ４２の検知から所定量定められた距離だけ給紙モータ１０２を駆動して給紙ベルト３９を周回移動させることにより、突き当てローラ４１に原稿が所定量の撓みを持って押し当てられた状態にする。
【００４３】
また、給紙モータ１０２の停止前にピックアップモータ１０１を回転させてピックアップローラ３７を原稿束Ｐの上面から退避させる。このときには、原稿が給紙ベルト３９の搬送力のみで送られることにより、原稿先端が突き当てローラ４１の駆動ローラ４１ａおよび従動ローラ４１ｂのニップに進入して原稿の先端のスキューが矯正される。
【００４４】
また、スキューの矯正後に給紙モータ１０２が逆転駆動されるようになっており、このとき、突き当てローラ４１は給紙モータ１０２によって回転駆動され、分離された原稿を中間ローラ４３に搬送するようになっている。この中間ローラ４３は駆動ローラ４３ａおよび従動ローラ４３ｂから構成されており、給紙モータ１０２によって駆動される。
【００４５】
なお、給紙モータ１０２が逆転駆動されると、突き当てローラ４１と中間ローラ４３に給紙モータ１０２の駆動力が伝達され、ピックアップローラ３７と給紙ベルト３９には駆動力が駆動されない。
【００４６】
また、突き当てローラ４２の下流側には原稿幅センサ４４が設けられており、この原稿幅センサ４４は図２中、図面の手前側から奥側に複数個設けられ、搬送された原稿を検知してコントローラ１００に信号を出力するようになっている。コントローラ１００は原稿幅センサ４４のＯＮ信号に基づいて原稿の搬送方向に直行する幅方向のサイズを検知するようになっている。
【００４７】
また、原稿の搬送方向の長さに関しては、コントローラ１００が原稿の突き当てセンサ４２からの検知信号に基づいて検知するようになっている。すなわち、突き当てセンサ４２が原稿の先端を検知してＯＮになり、その後、突き当てセンサ４２が原稿の後端を検知してＯＦＦになったときの給紙モータ１０２のパルス信号を計数することにより、原稿の長さを検知する。
【００４８】
また、中間ローラ４３の下流側には読取入口ローラ４５が設けられており、この読取入口ローラ４５は駆動ローラ４５ａおよび従動ローラ４５ｂから構成され、読取モータ１０３によって駆動される。
【００４９】
また、スリットガラス２２ｂの上面には搬送される原稿をガイドするように断面略Ｕ字状に形成された白色の背景板４７が設けられている。
【００５０】
この背景板４７の下流側には読取出口ローラ４８が設けられており、読取出口ローラ４８は駆動ローラ４８ａおよび従動ローラ４８ｂから構成されている。
【００５１】
また、この読取出口ローラ４８の下流側には第２読取ローラ４９が設けられており、第２読取ローラ４９は駆動ローラから構成されている。また、第２読取ローラ４９の下流側には読取出口ローラ５０が設けられており、この読取出口ローラ５０は駆動ローラ５０ａおよび従動ローラ５０ｂから構成されている。そして、これら各ローラ４５、４８、４９および５０は読取モータ１０３によって駆動される。
【００５２】
また、第２読取ローラ４９の上方にはＣＣＤ等のイメージセンサ５１が設けられており、このイメージセンサ５１は原稿の他方の面を読取るようになっている。
【００５３】
また、中間ローラ４３の下流側には入口センサ４６が設けられており、この入口センサ４６は原稿先端を検知するとコントローラ１００に信号を出力するようになっている。
【００５４】
コントローラ１００は入口センサ４６から信号が入力されると、読取入口ローラ４５の駆動ローラ４５ａおよび従動ローラ４５ｂのニップに原稿先端が進入する前に原稿搬送速度を読取搬送速度と同速にするために給紙モータ１０２の減速を開始するのと同時に、読取モータ１０３を正転駆動して中間ローラ４３を読取モータ１０３側の駆動系に接続するとともに、読取入口ローラ４５、読取出口ローラ４８、第２読取ローラ４９を駆動するようになっている。
【００５５】
また、突き当てローラ４１および中間ローラ４３の駆動によりレジスト部２６からターン部２７に原稿を搬送する際には、レジスト部２６での搬送速度を第１読取搬送部２８での搬送速度よりも高速に設定して原稿をスリットガラス２２ｂに送り込む処理時間の短縮を図るとともに、原稿の紙間距離を縮めるようにしている。
【００５６】
また、読取入口ローラ４５の下流側にはレジストセンサ７１が設けられており、このレジストセンサ７１は原稿の先端を検知してコントローラ１００に信号を出力するようになっている。
【００５７】
コントローラ１００はレジストセンサ７１から信号が入力すると、給紙モータ１０２を所定の搬送距離をかけて減速し、スリットガラス２２ｂの手前で一時停止すると共に本体制御部１１１にＩ／Ｆ１０７を介してレジスト停止信号を送信する。コントローラ１００は本体制御部１１１から読取開始信号を受信すると、レジスト停止していた原稿の先端がスリットガラス２２ｂに到達するまでに所定の搬送速度に立ち上がるように読取モータ１０３を増速して中間ローラ４３および読取入口ローラ４５により原稿を搬送する。
【００５８】
ここで、原稿の先端がレジストセンサ７１に到達するより前に読取開始信号を受信した場合はレジスト非停止読取動作となる。レジスト非停止読取動作の場合はレジスト停止を行わずに、読取搬送速度を維持したまま読取りを行う。
【００５９】
読取モータ１０３のパルスカウントにより検出された原稿先端がスリットガラス２２ｂに到達するタイミングで、本体制御部１１１に対して第１面の副走査方向有効画像領域を示すゲート信号がスリットガラス２２ｂを原稿後端が抜けるまで送信される。
【００６０】
片面原稿読取りの場合には、スリットガラス２２ｂを通過した原稿は第２読取搬送部２９を経て排紙部３０に搬送される。この際、排紙センサ７４により原稿の先端を検知すると、排紙モータ１０４を正転駆動して排紙ローラ７３を反時計方向に回転させる。
【００６１】
排紙センサ７４による原稿の先端検知からの排紙モータ１０４のパルスカウントにより、原稿後端が排紙ローラ７３の駆動ローラ７３ａおよび従動ローラ７３ｂのニップから抜ける直前に排紙モータ１０４の駆動速度を減速させて、スタック部３１に排出される原稿が飛び出さない様に制御される。
【００６２】
両面原稿読取りの場合には、排紙センサ７４で原稿先端を検知してから読取モータ１０３のパルスカウントによりイメージセンサ５１に原稿先端が到達するタイミングでイメージセンサ５１に対してコントローラ１００から副走査方向の有効画像領域を示すゲート信号がイメージセンサ５１を原稿後端が抜けるまで送信される。
【００６３】
なお、第２読取ローラ４９は白色から構成されており、このようにしたのは、イメージセンサ５１におけるシェーディングデータを取得するための基準白部を兼ねるためであり、さらに、イメージセンサ５１の下方に第２読取ローラ４９を設けたのは、イメージセンサ５１による読取り時に原稿の浮きを抑えるためである。
【００６４】
一方、複写機の本体２１内には、図２に示すようにキセノンランプやハロゲンランプ等からなる光源７７、反射ミラー７８ａ〜７８ｃ、集光レンズ７９、ＣＣＤ等のイメージセンサ８０からなる画像読取手段（読取光学系）８１が設けられており、この画像読取手段８１によって読取られた画像情報は書込部８２によって感光体ドラム８３に照射されるようになっている。
【００６５】
感光体ドラム８３の周囲には図４に示すように、感光体ドラム８３と共に画像形成手段を構成する帯電装置８４、電位センサ８５、現像装置８６、転写ベルト８７、クリーニング装置８８、除電装置８９が設けられている。帯電装置８４は暗中にプラス電荷のコロナ放電をグリッドにより制御して感光体ドラム８３の表面を一定電位に帯電させるようになっている。
【００６６】
書込部８２はこの一定電位に帯電された感光体ドラム８３上に画像情報を含んだレーザダイオードを照射して感光体ドラム８３上のマイナス電荷を除去して静電潜像を形成する。電位センサ８５は感光体ドラム８３上の電位を測定してプロセスコントロールによって補正を行う。
【００６７】
現像装置８６は感光体ドラム８３上の電気除去された部分にマイナスに帯電されたトナーを付着させて可視像を形成する。転写ベルト８７にはプラスのバイアスが印加されており、この転写ベルト８７はマイナスに帯電された可視像を記録紙（記録媒体）に転写して搬送するようになっている。
【００６８】
クリーニング装置８８はクリーニングブレードを備えており、感光体ドラム８３に残ったトナーを掻き落とすようになっている。除電装置８９はＬＥＤを点灯させることにより感光体ドラム８３の残留電荷を除去して次の記録紙に新たな画像を形成するための準備を行う。
【００６９】
このようにした画像が形成された記録紙は定着装置９０に搬送され、定着装置９０によりトナー画像が記録紙に定着される。 
【００７０】
また、本体２１内にはそれぞれ異なるサイズの記録紙Ｓ1〜Ｓ5が収納された収納カセット９１〜９５が設けられており、この収納カセット９１〜９５に収納された記録紙は呼出しローラ９１ａ〜９５ａによって給紙された後、搬送方向に回転する給紙ローラ９１ｂ〜９５ｂおよび給紙ローラ９１ｂ〜９５ｂに摺接し、分離阻止方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送される。
【００７１】
また、図５に示すように、光源７７および反射ミラー７８ａは第１キャリッジ１２１に搭載されているとともに、反射ミラー７８ｂ、７８ｃは第２キャリッジ１２２に搭載されており、これら第１キャリッジ１２１および第２キャリッジ１２２は駆動ワイヤ１２３に固定されている。
【００７２】
この駆動ワイヤ１２３と従動プーリ１２４ａ、１２４ｂに支持されているとともに、一端部が本体２１に固定され、他端部がテンションスプリング１２５を介して本体２１に固定されている。
【００７３】
また、駆動ワイヤ１２３の一部は駆動プーリ１２６に巻回されており、この駆動プーリ１２６は駆動伝達ベルト１２７を介して駆動モータ１２８のモータ軸に接続されている。
【００７４】
コントローラ１００は、コンタクトガラス２２ａにブック原稿が載置されたときには、駆動モータ１２８を駆動することにより、駆動ベルト１２７および駆動プーリ１２６を介して駆動ワイヤ１２３を従動プーリ１２４ａ、１２４ｂに対して周回移動することにより、第１キャリッジ１２１および第２キャリッジ１２２を移動させ、光源７７および反射ミラー７８と反射ミラー７８ｂ、７８ｃとをコンタクトガラス２２ａの下方で移動する第１の読取モードに設定する。
【００７５】
また、コントローラ１００は、ＡＤＦ２３によって搬送される原稿をスリットガラス２２ｂ上で読取る際には、第１キャリッジ１２１および第２キャリッジ１２２をスリットガラス２２ｂの下方で停止させ、光源７７および反射ミラー７８と反射ミラー７８ｂ、７８ｃとをスリットガラス２２ｂの下方で固定して原稿を読取る第２のモードに設定する。なお、本実施の形態では、駆動ワイヤ１２３、従動プーリ１２４ａ、１２４ｂ、テンションスプリング１２５、駆動プーリ１２６、駆動伝達ベルト１２７および駆動モータ１２８が駆動機構（移動手段）１０９を構成しており、コントローラ１００がモード実行手段を構成している。
【００７６】
一方、スリットガラス２２ｂに隣接するコンタクトガラス２２ａの端部側には白基準部材としての白基準板７５が設けられており、この白基準板７５は画像読取手段８１によって原稿を読取る際の白基準を構成している。
【００７７】
コントローラ１００は、駆動機構１０９を駆動して画像読取手段８１をスリットガラス２２ｂの読取位置から白基準板７５側に移動させて白基準板７５を読取った後、スリットガラス２２ｂの読取位置で原稿の画像を読取り、画像読取データを本体制御部１１１に転送するようになっている。
【００７８】
本体制御部１１１は、ＣＰＵ、ＲＯＭ、ＲＡＭ等のコンピュータから構成されており、ＡＤＦ２３によってスリットガラス２２ｂに搬送される原稿を読取る前に、白基準板７５を読取って画像読取手段８１の特性ムラを補正するようになっており、シェーディング補正手段を構成している。
【００７９】
ここで、シェーディング補正とは、原稿の読取りに先立って白基準板７５を読取り、各画素のシェーディング補正用の白データとして白レベル基準データを取得し、この取得した白基準データに基づいてシェーディング補正データを生成し、この補正データにより読取った原稿画像データに対して補正演算を行い、読取データを正規化する処理である。
【００８０】
また、コントローラ１００は、ＡＤＦ２３によって搬送される原稿を読取る第２の読取モードでは、白基準板７５を読取るときの第１キャリッジ１２１および第２キャリッジ１２２の移動速度を、コンタクトガラス２２ａ上でブック原稿を読取る第１の読取モード設定時の第１キャリッジ１２１および第２キャリッジ１２２の最高移動速度よりも速くなるように駆動機構１０９を駆動するようになっている。本実施の形態では、コントローラ１００および駆動機構１０９が制御手段を構成している。
【００８１】
次に、搬送動作を説明する。
【００８２】
まず、原稿テーブル２４に原稿束Ｐが載置されると、原稿セットセンサ３６がセットフィラー３５を検知した状態から未検知状態に変化するため、底板上昇モータ１０５を上昇させて原稿束Ｐの最上面をピックアップローラ３７に接触させる。
【００８３】
次いで、操作部１０８のプリントキーが押下されると、本体制御部１１１からＩ／Ｆ１０７を介してコントローラ１００に原稿給紙信号が送信されるため、給紙モータ１０２を正転駆動するとともに、給紙ベルト３９が時計方向に周回移動し、さらに、リバースローラ４０が時計方向に回転する。このため、原稿束Ｐから最上位に位置する原稿が分離される。
【００８４】
次いで、レジストセンサ７１が読取開始信号を受信する前に、突き当てセンサ４２が原稿の先端を検知した場合には、所定量定められた距離だけ給紙モータ１０２を駆動して給紙ベルト３９を周回移動させることにより、原稿を所定距離だけ搬送し、原稿の先端を突き当てローラ４１に突き当て、原稿が所定量の撓みを持って押し当てられた状態にして原稿のスキューを矯正する。
【００８５】
次いで、給紙モータ１０２の駆動を停止した後、ピックアップモータ１０１の駆動を停止し、ピックアップモータ１０１を回転させてピックアップローラ３７を原稿束Ｐの上面から退避させる。
【００８６】
次いで、給紙モータ１０２を逆転駆動する。このとき、ピックアップローラ３７と給紙ベルト３９が停止されるとともに、突き当てローラ４１および中間ローラ４３が駆動され、原稿がスリットガラス２２ｂに向かって搬送される。
【００８７】
次いで、入口センサ４６によって原稿の先端が検知されると、コントローラ１００が１枚目の原稿が分離給紙されたものと判断し、原稿の搬送速度を読取搬送速度と同速にするために給紙モータ１０２を減速駆動するとともに、原稿の先端を読取入口ローラ４５に突き当て、原稿が所定量の撓みを持って押し当てられた状態にして原稿のスキューを矯正するとともに、この位置をレジスト停止位置にして本体制御部１１１にＩ／Ｆ１０７を介してレジスト停止信号を送信する。
【００８８】
次いで、コントローラ１００に読取開始信号が入力すると、読取モータ１０３を駆動して、読取入口ローラ４５によって原稿をスリットガラス２２ｂに搬送する。
【００８９】
次いで、読取モータ１０３のパルスカウントにより検出された原稿先端が画像読取手段８１の上方に到達するタイミングで、本体制御部１１１に対して第１面の副走査方向有効画像領域を示すゲート信号をスリットガラス２２ｂを原稿後端が抜けるまで送信し、スリットガラス２２ｂの下方に設けられた画像読取手段８１によって原稿の一方の面を読取る。
【００９０】
ここで、コントローラ１００は、原稿画像を読取る前に、駆動機構１０９によって第１キャリッジ１２１および第２キャリッジ１２２を駆動することにより、光源７７および反射ミラー７８ａ〜７８ｃを白基準板７５の下方側に移動し、光源７７を点灯して白基準板７５に光源７７から光を照射し、白基準板７５の反射光を反射ミラー７８ａ〜７８ｃを介してレンズ７９に集光した後、イメージセンサ８０で読取り、その後、第１キャリッジ１２１および第２キャリッジ１２２を駆動することにより、光源７７および反射ミラー７８ａ〜７８ｃをスリットガラス２２ｂの下方側に移動させて、搬送される原稿を読取るようになっている（図６参照）。
【００９１】
このとき、コントローラ１００は、第１の読取モードでブック原稿を読取るときの第１キャリッジ１２１および第２キャリッジ１２２の最高移動速度に対して、第２の読取モードにおいて白基準板７５を読取るときの第１キャリッジ１２１および第２キャリッジ１２２の移動速度を速くなるように駆動モータ１２８の駆動速度を速くしている。
【００９２】
すなわち、図７に示すように、スリットガラス２２ｂ上の読取位置から白基準板７５を読取って再びスリットガラス２２ｂ上の読取位置に戻るまでのキャリッジ１２１およびキャリッジ１２２の移動速度ａを第１の読取モードでブック原稿を読取るときの第１キャリッジ１２１および第２キャリッジ１２２の最高移動速度ｂよりも速くしている。
【００９３】
次いで、給紙モータ１０２を逆転して原稿テーブル２４に載置された後続する原稿の給紙を開始する。このとき、原稿の先端が突き当てセンサ４２によって検知されると、原稿の先端が突き当てセンサ４２によって検知されてから所定量定められた距離だけ搬送する。
【００９４】
次いで、原稿の先端が突き当てローラ４１を抜けたときに給紙モータ１０２を正転駆動し、突き当てローラ４１および中間ローラ４３への駆動を停止するが、このときには中間ローラ４３は読取モータ１０３の駆動によって読取入口ローラ４５等の読取搬送系のローラと略同一の線速で駆動されている。また、このときに、後続する原稿の先端が突き当てローラ４１に突き当てられて後続する原稿のスキューが矯正される。
【００９５】
ここで、片面原稿読取りの場合には、第１読取搬送部２８を通過した原稿が第２読取搬送部２９を経て排紙部３０に搬送されるが、この際に排紙センサ７４によって原稿の先端が検知されると、排紙モータ１０４を正転駆動して排紙ローラ７３を反時計方向に回転させる。
【００９６】
また、排紙センサ７４による原稿の先端検知からの排紙モータ１０４のパルスを計数することにより、原稿後端が排紙ローラ７３の駆動ローラ７３ａおよび従動ローラ７３ｂのニップから抜ける直前に排紙モータ１０４の駆動速度を減速させて、スタック部３１に排出される原稿が飛び出さないように制御する。
【００９７】
また、コントローラ１００は、後続する原稿を読取る前に、駆動機構１０９によって第１キャリッジ１２１および第２キャリッジ１２２の移動速度を、ブック原稿を読取るときの最高速度よりも速い速度で駆動することにより、光源７７および反射ミラー７８ａ〜７８ｃを白基準板７５の下方側に移動して白基準板７５を読取り、この速度で第１キャリッジ１２１および第２キャリッジ１２２をスリットガラス２２ｂの下方に移動させて搬送される原稿を読取る。また、画像読取手段８１によって搬送される原稿を連続して読取る場合には、光源７７の照度を一定に保つために、光源７７は連続して点灯される。
【００９８】
このように本実施の形態では、第２の読取モードにおいて主基準板７５を読取るときの画像読取手段８１の光源７７の移動速度を、第１の読取モードで原稿を読取るときの光源７７の最高移動速度よりも速くしているので、搬送される原稿の読取り時に光源７７を連続点灯した場合であっても、光源７７を高速で移動させて空冷することができる。このため、光源７７の管面温度上昇を抑制することができ、光源７７の照度を低下させて光源７７の寿命を延長することができる。
【００９９】
なお、本実施の形態では、第２の読取モードにおいて主基準板７５を読取るときの画像読取手段８１の光源７７の移動速度を、第１の読取モードで原稿を読取るときの光源７７の最高移動速度よりも速くしているが、これに限らず、図８に示すように、第２の読取モードにおいて主基準板７５を読取るときの光源７７の加速度ａ１を、第１の読取モードで原稿を読取るときの光源７７の最高加速度ｂ１よりも速く制御するようにしても上述した効果と同様の効果を得ることができる。
【０１００】
図９、図１０は本発明に係る画像読取装置および画像形成装置の第２の実施の形態を示す図であり、第１の実施の形態と同様の構成には同一番号を付して説明を省略する。
【０１０１】
本実施の形態では、コントローラ１００は、第２の読取モードにおいて主基準板７５を読取った後、原稿の読取りを開始するまで第１キャリッジ１２１を駆動して光源７７の移動を継続させるようになっている。
【０１０２】
具体的には、図９（ａ）（ｂ）に示すように、前原稿の読取りが終了してから後続する原稿の読取りを開始するまでの間に光源７７を移動可能な距離だけ第１キャリッジ１２１を移動させるようになっており、図１０に示すように、第２の読取モードにおける光源７７の移動距離ａ２を第１の読取モードにおける光源７７の移動距離ｂ２よりも長くして原稿の読取開始ｃまで第１キャリッジ１２１を移動させている。
【０１０３】
このように本実施の形態では、第２の読取モードにおいて主基準板７５を読取った後、原稿の読取りを開始するまで第１キャリッジ１２１を駆動して光源７７の移動を継続させるので、搬送される原稿の読取り時に光源７７を連続点灯した場合であっても、光源７７を長い時間で移動させて空冷することができる。このため、光源７７の管面温度上昇を抑制することができ、光源７７の照度を低下させて光源７７の寿命を延長することができる。
【産業上の利用可能性】
【０１０４】
以上のように、本発明に係る画像読取装置および画像形成装置は、搬送される原稿の読取り時に光源を連続点灯した場合であっても、光源の管面温度上昇を抑制することができ、光源の照度を低下させて光源の寿命を延長することができるという効果を有し、スキャナー装置等の画像読取装置およびこの画像読取装置を搭載した複写機、ファクシミリ装置等の画像読取装置等として有用である。
【図面の簡単な説明】
【０１０５】
【図１】本発明に係る画像読取装置を備えた画像形成装置の第１の実施の形態を示す図であり、画像形成装置としての複写機の概略構成図である。
【図２】第１の実施の形態のＡＤＦの概略構成図である。
【図３】第１の実施の形態の画像形成装置の駆動系のブロック図である。
【図４】第１の実施の形態の画像形成部の構成図である。
【図５】第１の実施の形態の画像読取手段の構成図である。
【図６】第１の実施の形態の第２の読取モードで光源および反射ミラーが移動する状態を示す図である。
【図７】第１の実施の形態の第１の読取モードおよび第２の読取モードにおけるキャリッジの移動速度と移動時間の関係を示す図である。
【図８】第１の実施の形態の第１の読取モードおよび第２の読取モードにおけるキャリッジの他の移動速度と移動時間の関係を示す図である。
【図９】本発明に係る画像読取装置を備えた画像形成装置の第２の実施の形態を示す図であり、第２の読取モードで光源および反射ミラーが移動する状態を示す図である。
【図１０】第２の実施の形態の第１の読取モードおよび第２の読取モードにおけるキャリッジの移動速度と移動時間の関係を示す図である。
【符号の説明】
【０１０６】
２２ｂ  スリットガラス
２３  ＡＤＦ（原稿搬送手段）
７５  白基準板（白基準部材）
７７  光源
８１  画像読取手段（読取光学系）
８３  感光体ドラム（画像形成手段）
８４  帯電装置（画像形成手段）
８５  電位センサ（画像形成手段）
８６  現像装置（画像形成手段）
８７  転写ベルト（画像形成手段）
８８  クリーニング装置（画像形成手段）
８９  除電装置（画像形成手段）
１００  コントローラ（モード実行手段）
１０９  駆動機構（移動手段）
１１１  本体制御部（シェーディング補正手段）
【図１】
2006165777.tif 000003
【図２】
2006165777.tif 000004
【図３】
2006165777.tif 000005
【図４】
2006165777.tif 000006
【図５】
2006165777.tif 000007
【図６】
2006165777.tif 000008
【図７】
2006165777.tif 000009
【図８】
2006165777.tif 000010
【図９】
2006165777.tif 000011
【図１０】
2006165777.tif 000012